(57)【要約】  本開示のいくつかの態様は、非デスタッガードチャネル推定を可能にするための技法および装置に関する。態様では、時間的にスタッガされた受信した基準信号の第１のセットに基づいて第１のチャネルインパルス応答（ＣＩＲ）を判断することと、同じサブフレームタイムスロットからの受信した基準信号の第２のセットに基づいて第２のＣＩＲを判断することであって、基準信号が複数の仮想送信アンテナポートのうちの１つに関連する、判断することと、時間トラッキングループ（ＴＴＬ）タイミングオフセットに少なくとも部分的に基づいて第１のＣＩＲと第２のＣＩＲとを整合させることとを含む、ワイヤレス通信のための方法が提供される。
2015515775.tif 000002
【特許請求の範囲】
【請求項１】
時間的にスタッガされた受信した基準信号の第１のセットに基づいて第１のチャネルインパルス応答（ＣＩＲ）を判断することと、
同じサブフレームタイムスロットからの受信した基準信号の第２のセットに基づいて第２のＣＩＲを判断することであって、基準信号が複数の仮想送信アンテナポートのうちの１つに関連する、判断することと、
時間トラッキングループ（ＴＴＬ）タイミングオフセットに少なくとも部分的に基づいて前記第１のＣＩＲと前記第２のＣＩＲとを整合させることと
を備える、ワイヤレス通信のための方法。
【請求項２】
前記整合された第１および第２のＣＩＲに基づいて制御チャネルを復号することを試みることをさらに備える、請求項１に記載の方法。
【請求項３】
前記整合された第１および第２のＣＩＲに基づいて制御チャネルを復号することを試みることが、復号誤り率を低減することを含む、請求項２に記載の方法。
【請求項４】
時間トラッキングループ（ＴＴＬ）タイミングオフセットに少なくとも部分的に基づいて前記第１のＣＩＲと前記第２のＣＩＲとを整合させることが、時間的に前記第１のＣＩＲと前記第２のＣＩＲとを正規化することを含む、請求項１に記載の方法。
【請求項５】
時間トラッキングループ（ＴＴＬ）タイミングオフセットに少なくとも部分的に基づいて前記第１のＣＩＲと前記第２のＣＩＲとを整合させることが、前記第１のＣＩＲのサンプルサイズと前記第２のＣＩＲのサンプルサイズとの差を適応させることを含む、請求項１に記載の方法。
【請求項６】
ロングタームエボリューション（ＬＴＥ）時分割複信（ＴＤＤ）通信において使用される少なくとも１つのダウンリンク（ＤＬ）サブフレームについてのＣＩＲを更新するために前記第２のＣＩＲを使用すること
をさらに備える、請求項１に記載の方法。
【請求項７】
アップリンク（ＵＬ）サブフレームの後に続くＤＬサブフレームについてのＣＩＲを更新するために前記第２のＣＩＲを使用すること
をさらに備える、請求項６に記載の方法。
【請求項８】
アップリンク（ＵＬ）サブフレームの後に続くＤＬサブフレームについてのＣＩＲを更新するために前記第２のＣＩＲを使用することが、アップリンク（ＵＬ）サブフレームの直後のＤＬサブフレームについてのＣＩＲを更新するために前記第２のＣＩＲを使用することを含む、請求項７に記載の方法。
【請求項９】
ロングタームエボリューション（ＬＴＥ）周波数分割複信（ＦＤＤ）通信において使用される少なくとも１つのダウンリンク（ＤＬ）サブフレームについてのＣＩＲを更新するために前記第２のＣＩＲを使用することであって、前記基準信号が受信された前記ＤＬサブフレームは、基準信号が少なくとも部分的に消失した特別なサブフレームの後にある、使用すること
をさらに備える、請求項１に記載の方法。
【請求項１０】
送信機の複数の仮想送信アンテナポートのうちの少なくとも１つから送信を受信することであって、前記送信が前記基準信号を備える、受信すること
をさらに備える、請求項１に記載の方法。
【請求項１１】
複数の仮想送信アンテナポートのうちの少なくとも１つが、ロングタームエボリューション（ＬＴＥ）時分割複信（ＴＤＤ）通信において使用される仮想送信ポート２および３を備える、請求項１０に記載の方法。
【請求項１２】
前記第１のＣＩＲと前記第２のＣＩＲとを整合させることが、
前記第２のＣＩＲを前記第１のＣＩＲと整合させるために、前記ＴＴＬタイミングオフセットに基づいて、バッファ中の第２のＣＩＲサンプルの少なくとも一部分を再シャッフルすること
を備える、請求項１に記載の方法。
【請求項１３】
再シャッフルすることが、前記バッファの第１の部分に前に関連付けられた前記第２のＣＩＲサンプルの前記少なくとも一部分を前記バッファの第２の部分に関連付けることを含む、請求項１２に記載の方法。
【請求項１４】
前記制御チャネルが共有チャネル上で送信される、請求項２に記載の方法。
【請求項１５】
前記ＴＴＬタイミングオフセットが、高速フーリエ変換（ＦＦＴ）ウィンドウをアンカーするために使用される、請求項１に記載の方法。
【請求項１６】
時間的にスタッガされた受信した基準信号の第１のセットに基づいて第１のチャネルインパルス応答（ＣＩＲ）を判断するための手段と、
同じサブフレームタイムスロットからの受信した基準信号の第２のセットに基づいて第２のＣＩＲを判断するための手段であって、基準信号が複数の仮想送信アンテナポートのうちの１つに関連する、判断するための手段と、
時間トラッキングループ（ＴＴＬ）タイミングオフセットに少なくとも部分的に基づいて前記第１のＣＩＲと前記第２のＣＩＲとを整合させるための手段と
を備える、ワイヤレス通信のための装置。
【請求項１７】
前記整合された第１および第２のＣＩＲに基づいて制御チャネルを復号することを試みるための手段をさらに備える、請求項１６に記載の装置。
【請求項１８】
前記整合された第１および第２のＣＩＲに基づいて制御チャネルを復号することを試みるための前記手段が、復号誤り率を低減するための手段を含む、請求項１７に記載の装置。
【請求項１９】
時間トラッキングループ（ＴＴＬ）タイミングオフセットに少なくとも部分的に基づいて前記第１のＣＩＲと前記第２のＣＩＲとを整合させるための前記手段が、時間的に前記第１のＣＩＲと前記第２のＣＩＲとを正規化するための手段を含む、請求項１６に記載の装置。
【請求項２０】
時間トラッキングループ（ＴＴＬ）タイミングオフセットに少なくとも部分的に基づいて前記第１のＣＩＲと前記第２のＣＩＲとを整合させるための前記手段が、前記第１のＣＩＲのサンプルサイズと前記第２のＣＩＲのサンプルサイズとの差を適応させるための手段を含む、請求項１６に記載の装置。
【請求項２１】
ロングタームエボリューション（ＬＴＥ）時分割複信（ＴＤＤ）通信において使用される少なくとも１つのダウンリンク（ＤＬ）サブフレームについてのＣＩＲを更新するために前記第２のＣＩＲを使用するための手段
をさらに備える、請求項１６に記載の装置。
【請求項２２】
アップリンク（ＵＬ）サブフレームの後に続くＤＬサブフレームについてのＣＩＲを更新するために前記第２のＣＩＲを使用するための手段
をさらに備える、請求項２１に記載の装置。
【請求項２３】
アップリンク（ＵＬ）サブフレームの後に続くＤＬサブフレームについてのＣＩＲを更新するために前記第２のＣＩＲを使用するための前記手段が、ここにおいてアップリンク（ＵＬ）サブフレームの直後のＤＬサブフレームについてのＣＩＲを更新するために前記第２のＣＩＲを使用するための手段を含む、請求項２２に記載の装置。
【請求項２４】
ロングタームエボリューション（ＬＴＥ）周波数分割複信（ＦＤＤ）通信において使用される少なくとも１つのダウンリンク（ＤＬ）サブフレームについてのＣＩＲを更新するために前記第２のＣＩＲを使用することであって、前記基準信号が受信された前記ＤＬサブフレームは、基準信号が少なくとも部分的に消失した特別なサブフレームの後にある、使用すること
をさらに備える、請求項１６に記載の装置。
【請求項２５】
送信機の複数の仮想送信アンテナポートのうちの少なくとも１つから送信を受信することであって、前記送信が前記基準信号を備える、受信すること
をさらに備える、請求項１６に記載の装置。
【請求項２６】
複数の仮想送信アンテナポートのうちの少なくとも１つが、ロングタームエボリューション（ＬＴＥ）時分割複信（ＴＤＤ）通信において使用される仮想送信ポート２および３を備える、請求項２５に記載の装置。
【請求項２７】
前記第１のＣＩＲと前記第２のＣＩＲとを整合させることが、
そこにおいて、前記第２のＣＩＲを前記第１のＣＩＲと整合させるために、前記ＴＴＬタイミングオフセットに基づいて、バッファ中の第２のＣＩＲサンプルの少なくとも一部分を再シャッフルすること
を備える、請求項１６に記載の装置。
【請求項２８】
前記そこにおいて再シャッフルすることが、前記バッファの第１の部分に前に関連付けられた前記第２のＣＩＲサンプルの前記少なくとも一部分を前記バッファの第２の部分に関連付けることを含む、請求項２７に記載の装置。
【請求項２９】
前記制御チャネルが共有チャネル上で送信される、請求項１７に記載の装置。
【請求項３０】
前記ＴＴＬタイミングオフセットが、高速フーリエ変換（ＦＦＴ）ウィンドウをアンカーするために使用される、請求項１６に記載の装置。
【請求項３１】
時間的にスタッガされた受信した基準信号の第１のセットに基づいて第１のチャネルインパルス応答（ＣＩＲ）を判断することと、同じサブフレームタイムスロットからの受信した基準信号の第２のセットに基づいて第２のＣＩＲを判断することと、ここにおいて基準信号が複数の仮想送信アンテナポートのうちの１つに関連する、および、時間トラッキングループ（ＴＴＬ）タイミングオフセットに少なくとも部分的に基づいて前記第１のＣＩＲと前記第２のＣＩＲとを整合させることとを行うように構成された少なくとも１つのプロセッサと、
前記少なくとも１つのプロセッサに結合されたメモリと
を備える、ワイヤレス通信のための装置。
【請求項３２】
前記少なくとも１つのプロセッサが、前記整合された第１および第２のＣＩＲに基づいて制御チャネルを復号することを試みるようにさらに構成された、請求項３１に記載の装置。
【請求項３３】
前記整合された第１および第２のＣＩＲに基づいて制御チャネルを復号することを試みるように構成された前記少なくとも１つのプロセッサが、復号誤り率を低減するための手段を含む、請求項３２に記載の装置。
【請求項３４】
命令を記憶したコンピュータ可読媒体を備える、ワイヤレス通信のためのコンピュータプログラム製品であって、前記命令が、
時間的にスタッガされた受信した基準信号の第１のセットに基づいて第１のチャネルインパルス応答（ＣＩＲ）を判断することと、
同じサブフレームタイムスロットからの受信した基準信号の第２のセットに基づいて第２のＣＩＲを判断することであって、基準信号が複数の仮想送信アンテナポートのうちの１つに関連する、判断することと、
時間トラッキングループ（ＴＴＬ）タイミングオフセットに少なくとも部分的に基づいて前記第１のＣＩＲと前記第２のＣＩＲとを整合させることと
を行うために１つまたは複数のプロセッサによって実行可能である、コンピュータプログラム製品。
【請求項３５】
前記整合された第１および第２のＣＩＲに基づいて制御チャネルを復号することを試みることをさらに備える、請求項３４に記載のコンピュータプログラム製品。
【請求項３６】
前記整合された第１および第２のＣＩＲに基づいて制御チャネルを復号することを試みることが、復号誤り率を低減することを含む、請求項３５に記載のコンピュータプログラム製品。
【発明の詳細な説明】
【技術分野】
【０００１】
米国特許法第１１９条に基づく優先権の主張
[0001]  本特許出願は、本出願の譲受人に譲渡され、参照により本明細書に明確に組み込まれる、２０１２年３月９日に出願された米国仮特許出願第６１／６０９，０８７号の利益を主張する。
【０００２】
[0002]  本開示は、一般に通信システムに関し、より詳細には、非デスタッガード（non-destaggered）チャネル推定を可能にするための方法および装置に関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイル電気通信システム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示のいくつかの態様は、ワイヤレス通信のための方法を提供する。本方法は、概して、時間的にスタッガされた（staggered in time）受信した基準信号の第１のセットに基づいて第１のチャネルインパルス応答（ＣＩＲ：channel impulse response）を判断することと、同じサブフレームタイムスロットからの受信した基準信号の第２のセットに基づいて第２のＣＩＲを判断することであって、基準信号が複数の仮想送信アンテナポートのうちの１つに関連する、判断することと、時間トラッキングループ（ＴＴＬ：time tracking loop）タイミングオフセットに少なくとも部分的に基づいて第１のＣＩＲと第２のＣＩＲとを整合（align）させることとを含む。
【０００６】
[0006]  本開示のいくつかの態様は、ワイヤレス通信のための装置を提供する。本装置は、概して、時間的にスタッガされた受信した基準信号の第１のセットに基づいて第１のチャネルインパルス応答（ＣＩＲ）を判断するための手段と、同じサブフレームタイムスロットからの受信した基準信号の第２のセットに基づいて第２のＣＩＲを判断するための手段であって、基準信号が複数の仮想送信アンテナポートのうちの１つに関連する、判断するための手段と、時間トラッキングループ（ＴＴＬ）タイミングオフセットに少なくとも部分的に基づいて第１のＣＩＲと第２のＣＩＲとを整合させるための手段とを含む。
【０００７】
[0007]  本開示のいくつかの態様は、ワイヤレス通信のための装置を提供する。本装置は、概して、時間的にスタッガされた受信した基準信号の第１のセットに基づいて第１のチャネルインパルス応答（ＣＩＲ）を判断することと、同じサブフレームタイムスロットからの受信した基準信号の第２のセットに基づいて第２のＣＩＲを判断することであって、基準信号が複数の仮想送信アンテナポートのうちの１つに関連する、判断することと、時間トラッキングループ（ＴＴＬ）タイミングオフセットに少なくとも部分的に基づいて第１のＣＩＲと第２のＣＩＲとを整合させることとを行うように構成された少なくとも１つのプロセッサと、少なくとも１つのプロセッサに結合されたメモリとを含む。
【０００８】
[0008]  本開示のいくつかの態様は、命令を記憶したコンピュータ可読媒体を備える、ワイヤレス通信のためのコンピュータプログラム製品を提供する。命令は、概して、時間的にスタッガされた受信した基準信号の第１のセットに基づいて第１のチャネルインパルス応答（ＣＩＲ）を判断することと、同じサブフレームタイムスロットからの受信した基準信号の第２のセットに基づいて第２のＣＩＲを判断することであって、基準信号が複数の仮想送信アンテナポートのうちの１つに関連する、判断することと、時間トラッキングループ（ＴＴＬ）タイミングオフセットに少なくとも部分的に基づいて第１のＣＩＲと第２のＣＩＲとを整合させることとを行うために１つまたは複数のプロセッサによって実行可能である。
【０００９】
[0009]  上記で説明した動作を実行するための装置、システム、およびコンピュータプログラム製品を含む多数の他の態様が提供される。
【図面の簡単な説明】
【００１０】
【図１】[0010]  ネットワークアーキテクチャの一例を示す図。
【図２】[0011]  アクセスネットワークの一例を示す図。
【図３】[0012]  ＬＴＥにおけるＤＬフレーム構造の一例を示す図。
【図４】[0013]  ＬＴＥにおけるＵＬフレーム構造の一例を示す図。
【図５】[0014]  ユーザプレーンおよび制御プレーンのための無線プロトコルアーキテクチャの一例を示す図。
【図６】[0015]  本開示のいくつかの態様による、アクセスネットワーク中の発展型ノードＢおよびユーザ機器の一例を示す図。
【図７】[0016]  図３のＤＬフレーム構造における４つの異なる仮想アンテナポートに割り当てられた基準信号を示す図７００。
【図８】[0017]  ＬＴＥ時分割複信（ＴＤＤ：Time Division Duplex）において定義されているアップリンク／ダウンリンクサブフレーム構成８００を示す図。
【図９】[0018]  本開示のいくつかの態様による、ＬＴＥ  ＴＤＤにおいて非デスタッガードチャネル推定を可能にするための例示的な動作９００を示す図。
【図１０】[0019]  本開示のいくつかの態様による非デスタッガードＣＩＲの例示的なアンラッピング（un-wrapping）を示す図。
【図１１】[0020]  本開示のいくつかの態様による非デスタッガードＣＩＲの例示的なアンラッピングを示す図。
【図１２】[0021]  本開示のいくつかの態様による非デスタッガードＣＩＲの例示的なアンラッピングを示す図。
【図１３】[0022]  本開示のいくつかの態様による非デスタッガードＣＩＲの例示的なアンラッピングを示す図。
【発明を実施するための形態】
【００１１】
[0023]  添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１２】
[0024]  次に、様々な装置および方法に関して電気通信システムのいくつかの態様を提示する。これらの装置および方法について、以下の詳細な説明において説明し、（「要素（element）」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるのか、ソフトウェアとして実装されるのかは、特定の適用例および全体的なシステムに課された設計制約に依存する。
【００１３】
[0025]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１４】
[0026]  したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１５】
[0027]  図１は、本開示の態様が実施され得る例示的なＬＴＥネットワークアーキテクチャ１００を示す図である。
【００１６】
[0028]  ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者（operator）のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１７】
[0029]  Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１８】
[0030]  ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１９】
[0031]  図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ：home eNB））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２０】
[0032]  アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２１】
[0033]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（たとえば、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々はそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００２２】
[0034]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２３】
[0035]  以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２４】
[0036]  図３は、ＬＴＥにおけるＤＬフレーム構造の一例を示す図３００である。フレーム（１０ｍｓ）は、０〜９のインデックスをもつ等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２５】
[0037]  ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、それぞれ、ノーマルサイクリックプレフィックス（ＣＰ：cyclic prefix）をもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２６】
[0038]  ｅＮＢは、各サブフレームの第１のシンボル期間中で物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中で物理ダウンリンク共有チャネル（ＰＤＳＣＨ：Physical Downlink Shared Channel）を送り得る。ＰＤＳＣＨは、ダウンリンク上でのデータ送信がスケジュールされたＵＥのためのデータを搬送し得る。
【００２７】
[0039]  ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方式でＰＤＣＣＨを送り得、また特定のＵＥにユニキャスト方式でＰＤＳＣＨを送り得る。
【００２８】
[0040]  各シンボル期間においていくつかのリソース要素が利用可能であり得る。各リソース要素（ＲＥ：resource element）は、１つのシンボル期間中に１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１、および２において拡散され得る。ＰＤＣＣＨは、たとえば、最初のＭ個のシンボル期間中に利用可能なＲＥＧから選択され得る、９個、１８個、３６個、または７２個のＲＥＧを占有し得る。ＲＥＧのいくつかの組合せのみがＰＤＣＣＨに対して許され得る。
【００２９】
[0041]  ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して許される組合せの数よりも少ない。ｅＮＢは、ＵＥが探索することになる組合せのいずれかにおいてＵＥにＰＤＣＣＨを送り得る。
【００３０】
[0042]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００３１】
[0043]  ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００３２】
[0044]  初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３３】
[0045]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３４】
[0046]  ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３５】
[0047]  ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅＮＢ間のＵＥに対するハンドオーバサポートとを行う。ＲＬＣサブレイヤ５１２は、上位レイヤデータパケットのセグメンテーションおよび再統合と、消失データパケットの再送信と、ハイブリッド自動再送要求（ＨＡＲＱ：hybrid automatic repeat request）による、順番が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３６】
[0048]  制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３７】
[0049]  図６は、アクセスネットワーク中でＵＥ６５０と通信している例示的なｅＮＢ６１０のブロック図である。
【００３８】
[0050]  ｅＮＢ６１０からＵＥ６５０へのダウンリンク送信の場合、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、消失パケットの再送信と、ＵＥ６５０へのシグナリングとを担当する。
【００３９】
[0051]  ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００４０】
[0052]  ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを判断することによって復元され、復調される。
【００４１】
[0053]  これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００４２】
[0054]  コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４３】
[0055]  ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、消失パケット（lost packet）の再送信と、ｅＮＢ６１０へのシグナリングとを担当する。
【００４４】
[0056]  ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４５】
[0057]  いくつかの態様によれば、チャネル推定は、デスタッガリング（de-staggering）をディセーブルにして取得されたチャネルインパルス応答（ＣＩＲ：channel impulse response）を、デスタッガリングをイネーブルにして取得されたＣＩＲと整合させることによって実行され得る。（たとえば、前のＤＬサブフレームからの）古くなった推定値の使用を回避することと、デスタッガードＣＩＲが利用可能になるまで待つ必要がないこととによって、性能利益が達成され得る。これはまた、デスタッガードＣＩＲと同じチャネルタップ長をもつ非デスタッガードＣＩＲをイネーブルにして、ハードウェア設計の再利用を可能にし得る。
【００４６】
[0058]  ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４７】
[0059]  コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４８】
[0060]  図７は、図３のＤＬフレーム構造における４つの異なる仮想アンテナポートに割り当てられた基準信号を示す図７００である。図７は、セル固有ＤＬ基準信号（ＲＳ）３０２のみを示している。図７に示す基準信号は、４つの仮想送信（Ｔｘ）アンテナポート０〜３に割り当てられ、Ｒ0〜Ｒ3は、それぞれポート０〜３のための基準信号を表す。セル固有基準信号は、データの復号および復調のためにチャネル推定（たとえば、チャネルインパルス応答（ＣＩＲ）推定）を実行することと、ダウンリンク無線チャネルの品質および空間特性に関するフィードバックを導出することの両方のためにＵＥによって使用される。
【００４９】
[0061]  ３ＧＰＰ  ＬＴＥ規格は、ダウンリンクのための仮想／論理アンテナポートを定義している。アンテナポートは、概して、同等のチャネル状態の下での信号送信のための総称語として使用される。独立チャネルが仮定されるダウンリンク方向における各ＬＴＥ動作モード（たとえば、ＳＩＳＯ、ＭＩＭＯなど）について、個別の論理アンテナポートが定義されている。同等のアンテナポートを介して送信されるＬＴＥシンボルは、同じチャネル状態を受ける。
【００５０】
[0062]  アンテナポートのための特有のチャネルを判断するために、ＵＥは、各アンテナポートについて個別のチャネル推定を行わなければならない。それぞれのチャネルを推定するのに好適である個別の基準信号（パイロット信号）が各アンテナポートのためにＬＴＥ規格において定義されている。たとえば、図７に示すセル固有基準信号はアンテナポート０〜３のために定義されている。
【００５１】
[0063]  これらの論理アンテナポートが基地局の物理的送信アンテナに割り当てられる方法は、基地局次第であり、（異なる動作状態のために）同じタイプの基地局間で、また異なる製造業者からの基地局間で異なることがある。基地局は、行われたマッピングをＵＥに明示的に通知せず、もっと適切に言えば、ＵＥは、これを復調中に自動的に考慮に入れなければならない。ＵＥへのデータ送信のために使用されるプリコーダのシグナリングとともに、４つのセル固有ＲＳポートは、コードブックベースのプリコーディングを使用して最高４つのレイヤの空間多重化を可能にする。
【００５２】
[0064]  図７に示すように、各シンボル期間の各ＲＳサブキャリア中で各アンテナポートのための基準信号を送信するのではなく、各アンテナポートのための基準信号は時間的にスタッガされ得る。たとえば、シンボル０では、Ｒ0はサブキャリア０および６上で送信され、Ｒ1はサブキャリア３および９中で送信される。一方、シンボル４では、Ｒ1はサブキャリア０および６上で送信され、Ｒ0はサブキャリア３および９中で送信される。
【００５３】
[0065]  すべてのＲＳサブキャリア中のＲＳを用いて、いずれかのアンテナポートについての「デスタッガード（de-staggered）」チャネルインパルス応答（ＣＩＲ）を取得するために、ＵＥは、ＵＥがシンボル０およびシンボル４からの測定値を有するまで待つ必要があり得る。シンボル０に基づいてデスタッガードＣＩＲを取得するために、ＵＥは、前のサブフレームからのＲＳに依拠しなければならないであろう。ＵＬサブフレームに続くＤＬサブフレーム（本明細書では「ｕＤＬ」サブフレームと呼ぶ）では、前のサブフレームは、いくつかのサブフレーム前のサブフレームであり得る。その結果、ＲＳは古くなっていることがあり、これは、復号性能問題につながり得る。
【００５４】
[0066]  図８に、ＬＴＥ  ＴＤＤにおいて定義されているＵＬ／ＤＬサブフレーム構成８００を示す。「Ｄ」はダウンリンク送信のためのサブフレームを表し、「Ｓ」はガードタイムのために使用される特別なサブフレーム（special subframe）を表し、「Ｕ」はアップリンク送信のためのサブフレームを表す。サブフレーム０および５は、ＵＥが、同期を実行し、関連するシステム情報を取得するのに必要な同期信号とブロードキャスト情報とを含んでおり、それらのサブフレームはダウンリンクサブフレームになる。
【００５５】
[0067]  サブフレーム１は、ダウンリンク送信とアップリンク送信との間の切替えポイントとして働く特別なサブフレームである。それは、ダウンリンクパイロットタイムスロット（ＤｗＰＴＳ）、ガード期間（ＧＰ）およびアップリンクパイロットタイムスロット（ＵｐＰＴＳ）という３つのフィールドを含んでいる。アップリンク送信からダウンリンク送信への切替えに対処するために、特別なサブフレームはプロビジョニングされないが、ＧＰは、ＤＬからＵＬへの切替え時間とＵＬからＤＬへの切替え時間との和を含む。一方、ＵＬからＤＬへの切替えは、ＵＥにおける適切なタイミングアドバンスによって達成される。
【００５６】
[0068]  図８に示すように、５ｍｓおよび１０ｍｓという２つの切替えポイント周期がサポートされる。５ｍｓ切替えポイント周期（構成０、１、２、および６）の場合、サブフレーム６も、サブフレーム１と同等の特別なサブフレームである。１０ｍｓ切替えポイント周期（構成３、４、および５）の場合、サブフレーム６は通常ダウンリンクサブフレームである。
【００５７】
非デスタッガードチャネル推定を可能にすることの例
[0069]  図７に関して上述したように、ＬＴＥ周波数分割複信（ＦＤＤ）システムは、チャネル推定更新のためにデスタッガード生ＣＲＳ  ＣＩＲを使用し得る。得られたＣＩＲチャネルタップ長は、したがって、非デスタッガードＣＩＲのタップ長の２倍であり得る。しかしながら、本開示の態様は、デスタッガリングをディセーブルにして取得されたＣＩＲを、デスタッガリングを使用して取得されたＣＩＲと整合させるのを助け得る。この手法は、デスタッガリングをイネーブルにして使用される同じ処理設計を再利用する能力とともに、デスタッガリングをディセーブルにする（ｕＤＬサブフレーム中の古くなったＲＳに依拠することを回避する）ことの性能利益を与え得る。
【００５８】
[0070]  したがって、いくつかの態様によれば、ＴＤＤは、ｕＤＬサブフレーム（ＵＬサブフレームの直後のＤＬサブフレーム）のための復号性能を損なうことなしに、ＦＤＤチャネル推定設計を活用し得る。上述のように、場合によっては、ＣＩＲ推定値更新は、デスタッガード生ＣＩＲが利用可能になるまでｕＤＬ中で遅延され得る。たとえば、Ｔｘポート０および１からのＣＲＳを使用して、第１の利用可能な更新は第５のシンボル（スロット０）において行われ得、Ｔｘポート２および３からのＣＲＳを使用して、第１の利用可能な更新は第２のスロット（スロット１）中で行われ得る。
【００５９】
[0071]  いくつかのテスト条件（たとえば、中程度の空間相関プロファイルをもつＵＬ／ＤＬサブフレーム構成０）の下で、規格は、あるＰＣＦＩＣＨ／ＰＤＣＣＨ復号エラー（たとえば、１％）を許し得る。デスタッガリングをイネーブルにしたこの例示的なシナリオでは、テストは、ｕＤＬのためのＰＤＣＣＨ復号が、Ｔｘポート２および３について、３サブフレーム前の前のＤＬからの古くなったＣＩＲ推定値のみを使用し得ることを示した。その結果、デスタッガリングをイネーブルにして、許容差（allowance）を超える誤り率（たとえば、１．３９％）が測定された。一方、改善された復号誤り率（たとえば、０．３３％）が、デスタッガリングをディセーブルにして達成され得る。したがって、場合によっては、許容できるＰＣＦＩＣＨ／ＰＤＣＣＨ復号誤り率を達成するために、ＴＤＤ４×２チャネル推定においてＴｘポート２および３についてのＣＲＳデスタッガリングＣＩＲ測定がディセーブルにされ得ることが望ましいことがある。
【００６０】
[0072]  いくつかの態様によれば、現在の設計と同じＣＩＲタップ長を保つために、デスタッガリング（de-staggering）をディセーブルにして取得されたＣＩＲは、デスタッガリングをイネーブルにして取得されたＣＩＲと整合される必要があり得る。上述したように、デスタッガリングなしで、ＣＩＲ長は、デスタッガリングをイネーブルにしたＣＩＲ長の１／２であり得る。
【００６１】
[0073]  いくつかの態様によれば、（サブフレームおよび／またはシンボル間の）タイミングドリフトがある場合、逆高速フーリエ変換（ＩＦＦＴ）を実行した後に、デスタッガードＣＩＲ（destaggered CIR）と非デスタッガードＣＩＲ（non-destaggered CIR）とは、異なるラップアラウンドポイント（wrap-around points）を有し得る。いくつかの態様によれば、時間トラッキングループ（ＴＴＬ）タイミングオフセット推定値が、ＦＦＴウィンドウをアンカー（anchor）するために使用され得る。コヒーレントＣＩＲ推定値に対するＴＴＬタイミング調整によって引き起こされるジッタを最小限に抑えるために、ＴＴＬタイミングエラー補償が周波数領域において位相ランプ（phase ramp）として「元に戻され（undone）」、これにより、ＩＦＦＴの後に生ＣＩＲに対する循環シフト（circular shift）が生じる。
【数１】
2015515775.tif 000003
【００６２】
[0074]  いくつかの態様によれば、デスタッガードＣＩＲと非デスタッガードＣＩＲとは、ＴＴＬタイミングオフセット量に基づいて再整合（re-aligne）され得、同じ（ハードウェアベースの）設計が両方に適用されることが可能になる。
【００６３】
[0075]  いくつかの態様によれば、この整合は、ハードウェア構成要素とソフトウェア（たとえば、ファームウェア）構成要素との組合せによって達成され得る。一例として、場合によっては、ファームウェア（ＦＷ）は、非デスタッガード生ＣＩＲをアンラップ（un-wrap）するためのいくつかのタスクを達成するために、様々なハードウェア（ＨＷ）構成要素を構成／プログラムする必要があり得る。以下の「擬似コード（pseudo-code）」は、実装すべきプロシージャを記述している。これは、モジュロＴＴＬオフセットを［−（ｄｓｔｇＣＩＲ＿Ｌｅｎｇｔｈ−１）（ｄｓｔｇＣＩＲ＿Ｌｅｎｇｔｈ−１）］内に入れ得る。
【数２】
2015515775.tif 000004
【００６４】
[0076]  いくつかの態様によれば、生ＣＩＲ循環シフト量（raw CIR circular shift amount）がモジュロ演算後のＴＴＬオフセットに等しいことがわかると、非デスタッガード生ＣＩＲの一部分は、デスタッガードＣＩＲと整合するように再シャッフル（reshuffle）され得る。たとえば、（たとえば、ファームウェアによって構成可能な）ハードウェアベースのタスクがバッファシャフリング（buffer shuffling）（本明細書で説明する整合を達成するために、バッファ中のあるロケーションから別のロケーションにＣＩＲサンプルを再配置すること）のために適用され得る。これは、以下によって示される。
【数３】
2015515775.tif 000005
【００６５】
[0077]  いくつかの態様によれば、上記に示した動作はＨＷタスクによって実装され、サンプルのベクトル長を移動するようにプログラムされ得る（たとえば、ｖｅｃＬｅｎ＝（ｖｅｃＬｅｎ−１））。場合によっては、移動されなかった元のバッファをゼロ充填するために、別個のタスクが使用され得る。この場合、スケーリングファクタは０に設定され得、上記で説明したようなタスクが（たとえば、ソースアドレスと宛先アドレスの両方のためにソースアドレスを使用し、同じベクトル長を用いて）使用され得る。
【００６６】
[0078]  図９は、本開示のいくつかの態様による、ＬＴＥ  ＴＤＤにおいて非デスタッガードチャネル推定を可能にするために、たとえば、ＵＥによって実行され得る例示的な動作９００を示す。いくつかの態様によれば、例示的な動作９００は、たとえば、ＲＸプロセッサ６５６、チャネル推定器６５８、および／またはコントローラ／プロセッサ６５９によって実行され得る。ただし、図６に示された他の構成要素が、例示的な動作９００のうちの１つまたは複数を実行するために採用され得る。
【００６７】
[0079]  動作９００は、９０２において、時間的にスタッガされた受信した基準信号の第１のセットに基づいて第１のチャネルインパルス応答（ＣＩＲ）を判断することによって開始し得る。９０４において、同じサブフレームタイムスロットからの受信した基準信号の第２のセットに基づいて第２のＣＩＲを判断し、基準信号は複数の仮想送信アンテナポートのうちの１つに関連する。９０６において、時間トラッキングループ（ＴＴＬ）タイミングオフセットに少なくとも部分的に基づいて第１のＣＩＲと第２のＣＩＲとを整合させる。
【００６８】
[0080]  いくつかの態様によれば、本方法は、整合された第１および第２のＣＩＲに基づいて制御チャネルを復号することを試みることを含み得る。このようにして制御チャネルを復号することは復号誤り率を低減し得る。より詳細には、第２のＣＩＲは非デスタッガードＣＩＲであり得る。したがって、そのようなＣＩＲは、１つまたは複数の潜在的に古くなった基準信号（たとえば、アップリンクフレーム、またはＭＢＳＦＮサブフレームなどの特別なサブフレームの送信に先行した基準信号）に依拠しないことがある。態様では、制御チャネルは共有チャネル上で送信され得る。
【００６９】
[0081]  したがって、第２のＣＩＲは、ロングタームエボリューション（ＬＴＥ）時分割複信（ＴＤＤ）通信において使用される少なくとも１つのダウンリンク（ＤＬ）サブフレームについてのＣＩＲを更新するために採用され得る。たとえば、第２のＣＩＲは、アップリンク（ＵＬ）サブフレームの後に続く（たとえば、直後）ＤＬサブフレームについてのＣＩＲを更新するために採用され得る。さらなる例として、第２のＣＩＲは、ロングタームエボリューション（ＬＴＥ）周波数分割複信（ＦＤＤ）通信において使用される少なくとも１つのダウンリンク（ＤＬ）サブフレームについてのＣＩＲを更新するために採用され得る。たとえば、第２のＣＩＲは、基準信号が少なくとも部分的に消失した特別なサブフレームの後にある、基準信号が受信されたＤＬサブフレームについてのＣＩＲを更新するために採用され得る。
【００７０】
[0082]  追加または代替として、時間トラッキングループ（ＴＴＬ）タイミングオフセットに少なくとも部分的に基づいて第１のＣＩＲと第２のＣＩＲとを整合させることは、時間的に第１のＣＩＲと第２のＣＩＲとを正規化（normalizing）することを含む。ＴＴＬタイミングオフセットの推定値は、タイミングドリフトを適応させるために採用され得る。ＴＴＬタイミングオフセットを除去することによって、ジッタを生じ得るＴＴＬタイミングオフセットの変動および／または不完全性が除去され得る。ＴＴＬタイミングオフセットは、高速フーリエ変換（ＦＦＴ）ウィンドウをアンカーするために使用され得る。
【００７１】
[0083]  いくつかの態様によれば、時間トラッキングループ（ＴＴＬ）タイミングオフセットに少なくとも部分的に基づいて第１のＣＩＲと第２のＣＩＲとを整合させることは、第１のＣＩＲのサンプルサイズと第２のＣＩＲのサンプルサイズとの差を適応させることを含み得る。したがって、第２の非デスタッガード（non-destaggered）ＣＩＲは、ある時間期間について第１のデスタッガード（destaggered）ＣＩＲよりも少ない数のサンプルを含み得るが、本明細書で提示する技法は、第１および第２のＣＩＲの対応するサンプルを整合させ得る。
【００７２】
[0084]  いくつかの態様によれば、基準信号を含む送信は、送信機の複数の仮想送信アンテナポートのうちの少なくとも１つから受信され得る。たとえば、送信の１つまたは複数の部分は、ロングタームエボリューション（ＬＴＥ）時分割複信（ＴＤＤ）通信において使用される仮想送信ポート２および３からのものであり得る。
【００７３】
[0085]  いくつかの態様によれば、第１のＣＩＲと第２のＣＩＲは、上記で説明した技法によって示されるように、第２のＣＩＲを第１のＣＩＲと整合させるために、ＴＴＬタイミングオフセットに基づいて、バッファ中の第２のＣＩＲサンプルの少なくとも一部分を再シャッフルすることによって整合され得る。同じく上記で説明したように、第２のＣＩＲの部分は、整合に適応するためにパディングされ得る。態様では、再シャッフルすることは、バッファの第１の部分に前に関連付けられた第２のＣＩＲサンプルの少なくとも一部分をバッファの第２の部分に関連付けることを含み得る。
【００７４】
[0086]  図１０〜図１３に、（ＣＩＲ領域中の）異なるインデックスロケーションにおける、および異なるＴＴＬオフセットについての生ＣＩＲの整合の例を与える。
【００７５】
[0087]  図１０は、本開示のいくつかの態様による非デスタッガードＣＩＲの例示的なアンラッピングを示している。１００２は、（ＣＩＲ領域中の）インデックス０におけるＣＯＭ推定のためのデスタッガード生ＣＩＲを表す。１００４は、再整合（re-alignment）前の非デスタッガード生ＣＩＲ（non-destaggered raw CIR）を表し、１００６は、デスタッガードＣＩＲとの再整合後の非デスタッガードＣＩＲを表す。この例では、ＴＴＬオフセットは−５４である。したがって、ＣＩＲを整合させるために、非デスタッガードＣＩＲの最後の５４サンプルがデスタッガードＣＩＲの終わりの５４サンプルに移動され得る。
【００７６】
[0088]  図１１は、本開示のいくつかの態様による非デスタッガードＣＩＲの例示的なアンラッピング（un-wrapping）を示している。１１０２は、インデックス−２５５（すなわち＋２５７）におけるＣＯＭ推定のためのデスタッガード生ＣＩＲを表す。１１０４は、再整合前の非デスタッガード生ＣＩＲを表し、１１０６は、デスタッガードＣＩＲとの再整合後の非デスタッガードＣＩＲを表す。この例では、ＴＴＬオフセットは２０３である。したがって、ＣＩＲを整合させるために、非デスタッガードＣＩＲの最初の２０３サンプルがデスタッガードＣＩＲの後半の初めの２０３サンプルに移動され得る。
【００７７】
[0089]  図１２は、本開示のいくつかの態様による非デスタッガードＣＩＲの例示的なアンラッピングを示している。１２０２は、インデックス−５３（すなわち＋４５９）におけるＣＯＭ推定のためのデスタッガード生ＣＩＲを表す。１２０４は、再整合前の非デスタッガード生ＣＩＲを表し、１２０６は、デスタッガードＣＩＲとの再整合後の非デスタッガードＣＩＲを表す。この例では、ＴＴＬオフセットは−１０３である。したがって、ＣＩＲを整合させるために、非デスタッガードＣＩＲの最後の１０３サンプルがデスタッガードＣＩＲの最後の１０３サンプルに移動され得る。
【００７８】
[0090]  図１３は、本開示のいくつかの態様による非デスタッガードＣＩＲの例示的なアンラッピングを示している。１３０２は、インデックス５４におけるＣＯＭ推定のためのデスタッガード生ＣＩＲを表す。１３０４は、デスタッガードＣＩＲとの再整合の前および後の非デスタッガード生ＣＩＲを表す。この例では、ＴＴＬオフセットは−４である（したがって、再整合前および後のＣＩＲは、図１３では区別不可能である）。ＣＩＲを整合させるために、非デスタッガードＣＩＲの最後の４サンプルがデスタッガードＣＩＲの最後の４サンプルに移動され得る。
【００７９】
[0091]  このようにして、本方法および装置は、たとえば、復号誤り率を低減するために採用され得る。
【００８０】
[0092]  開示したプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【００８１】
[0093]  本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００８２】
[0094]  以上の説明は、本明細書で説明した様々な態様を当業者が実施できるように与えたものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【図１】
2015515775.tif 000006
【図２】
2015515775.tif 000007
【図３】
2015515775.tif 000008
【図４】
2015515775.tif 000009
【図５】
2015515775.tif 000010
【図６】
2015515775.tif 000011
【図７】
2015515775.tif 000012
【図８】
2015515775.tif 000013
【図９】
2015515775.tif 000014
【図１０】
2015515775.tif 000015
【図１１】
2015515775.tif 000016
【図１２】
2015515775.tif 000017
【図１３】
2015515775.tif 000018
【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
時間的にスタッガされた受信した基準信号の第１のセットに基づいて第１のチャネルインパルス応答（ＣＩＲ）を判断することと、
同じサブフレームタイムスロットからの受信した基準信号の第２のセットに基づいて第２のＣＩＲを判断することであって、各基準信号が複数の仮想送信アンテナポートのうちの１つに関連する、判断することと、
時間トラッキングループ（ＴＴＬ）タイミングオフセットに少なくとも部分的に基づいて前記第１のＣＩＲと前記第２のＣＩＲとを整合させることと
を備える、ワイヤレス通信のための方法。
【請求項２】
前記整合された第１および第２のＣＩＲに基づいて制御チャネルを復号することを試みることをさらに備える、請求項１に記載の方法。
【請求項３】
前記整合された第１および第２のＣＩＲに基づいて制御チャネルを復号することを試みることが、復号誤り率を低減することを含む、請求項２に記載の方法。
【請求項４】
時間トラッキングループ（ＴＴＬ）タイミングオフセットに少なくとも部分的に基づいて前記第１のＣＩＲと前記第２のＣＩＲとを整合させることが、時間的に前記第１のＣＩＲと前記第２のＣＩＲとを正規化することを含む、請求項１に記載の方法。
【請求項５】
時間トラッキングループ（ＴＴＬ）タイミングオフセットに少なくとも部分的に基づいて前記第１のＣＩＲと前記第２のＣＩＲとを整合させることが、前記第１のＣＩＲのサンプルサイズと前記第２のＣＩＲのサンプルサイズとの差を適応させることを含む、請求項１に記載の方法。
【請求項６】
ロングタームエボリューション（ＬＴＥ）時分割複信（ＴＤＤ）通信において使用される少なくとも１つのダウンリンク（ＤＬ）サブフレームについてのＣＩＲを更新するために前記第２のＣＩＲを使用すること
をさらに備える、請求項１に記載の方法。
【請求項７】
アップリンク（ＵＬ）サブフレームの後に続くＤＬサブフレームについてのＣＩＲを更新するために前記第２のＣＩＲを使用すること
をさらに備える、請求項６に記載の方法。
【請求項８】
アップリンク（ＵＬ）サブフレームの後に続くＤＬサブフレームについてのＣＩＲを更新するために前記第２のＣＩＲを使用することが、アップリンク（ＵＬ）サブフレームの直後のＤＬサブフレームについてのＣＩＲを更新するために前記第２のＣＩＲを使用することを含む、請求項７に記載の方法。
【請求項９】
ロングタームエボリューション（ＬＴＥ）周波数分割複信（ＦＤＤ）通信において使用される少なくとも１つのダウンリンク（ＤＬ）サブフレームについてのＣＩＲを更新するために前記第２のＣＩＲを使用することであって、前記基準信号が受信された前記ＤＬサブフレームは、基準信号が少なくとも部分的に消失した特別なサブフレームの後にある、使用すること
をさらに備える、請求項１に記載の方法。
【請求項１０】
送信機の複数の仮想送信アンテナポートのうちの少なくとも１つから送信を受信することであって、前記送信が前記基準信号を備える、受信すること
をさらに備える、請求項１に記載の方法。
【請求項１１】
複数の仮想送信アンテナポートのうちの少なくとも１つが、ロングタームエボリューション（ＬＴＥ）時分割複信（ＴＤＤ）通信において使用される仮想送信ポート２および３を備える、請求項１０に記載の方法。
【請求項１２】
前記第１のＣＩＲと前記第２のＣＩＲとを整合させることが、
前記第２のＣＩＲを前記第１のＣＩＲと整合させるために、前記ＴＴＬタイミングオフセットに基づいて、バッファ中の第２のＣＩＲサンプルの少なくとも一部分を再シャッフルすること
を備える、請求項１に記載の方法。
【請求項１３】
再シャッフルすることが、前記バッファの第１の部分に前に関連付けられた前記第２のＣＩＲサンプルの前記少なくとも一部分を前記バッファの第２の部分に関連付けることを含む、請求項１２に記載の方法。
【請求項１４】
前記制御チャネルが共有チャネル上で送信される、請求項２に記載の方法。
【請求項１５】
前記ＴＴＬタイミングオフセットが、高速フーリエ変換（ＦＦＴ）ウィンドウをアンカーするために使用される、請求項１に記載の方法。
【請求項１６】
時間的にスタッガされた受信した基準信号の第１のセットに基づいて第１のチャネルインパルス応答（ＣＩＲ）を判断するための手段と、
同じサブフレームタイムスロットからの受信した基準信号の第２のセットに基づいて第２のＣＩＲを判断するための手段であって、各基準信号が複数の仮想送信アンテナポートのうちの１つに関連する、判断するための手段と、
時間トラッキングループ（ＴＴＬ）タイミングオフセットに少なくとも部分的に基づいて前記第１のＣＩＲと前記第２のＣＩＲとを整合させるための手段と
を備える、ワイヤレス通信のための装置。
【請求項１７】
前記整合された第１および第２のＣＩＲに基づいて制御チャネルを復号することを試みるための手段をさらに備える、請求項１６に記載の装置。
【請求項１８】
前記整合された第１および第２のＣＩＲに基づいて制御チャネルを復号することを試みるための前記手段が、復号誤り率を低減するための手段を含む、請求項１７に記載の装置。
【請求項１９】
時間トラッキングループ（ＴＴＬ）タイミングオフセットに少なくとも部分的に基づいて前記第１のＣＩＲと前記第２のＣＩＲとを整合させるための前記手段が、時間的に前記第１のＣＩＲと前記第２のＣＩＲとを正規化するための手段を含む、請求項１６に記載の装置。
【請求項２０】
時間トラッキングループ（ＴＴＬ）タイミングオフセットに少なくとも部分的に基づいて前記第１のＣＩＲと前記第２のＣＩＲとを整合させるための前記手段が、前記第１のＣＩＲのサンプルサイズと前記第２のＣＩＲのサンプルサイズとの差を適応させるための手段を含む、請求項１６に記載の装置。
【請求項２１】
ロングタームエボリューション（ＬＴＥ）時分割複信（ＴＤＤ）通信において使用される少なくとも１つのダウンリンク（ＤＬ）サブフレームについてのＣＩＲを更新するために前記第２のＣＩＲを使用するための手段
をさらに備える、請求項１６に記載の装置。
【請求項２２】
アップリンク（ＵＬ）サブフレームの後に続くＤＬサブフレームについてのＣＩＲを更新するために前記第２のＣＩＲを使用するための手段
をさらに備える、請求項２１に記載の装置。
【請求項２３】
アップリンク（ＵＬ）サブフレームの後に続くＤＬサブフレームについてのＣＩＲを更新するために前記第２のＣＩＲを使用するための前記手段が、ここにおいてアップリンク（ＵＬ）サブフレームの直後のＤＬサブフレームについてのＣＩＲを更新するために前記第２のＣＩＲを使用するための手段を含む、請求項２２に記載の装置。
【請求項２４】
ロングタームエボリューション（ＬＴＥ）周波数分割複信（ＦＤＤ）通信において使用される少なくとも１つのダウンリンク（ＤＬ）サブフレームについてのＣＩＲを更新するために前記第２のＣＩＲを使用することであって、前記基準信号が受信された前記ＤＬサブフレームは、基準信号が少なくとも部分的に消失した特別なサブフレームの後にある、使用すること
をさらに備える、請求項１６に記載の装置。
【請求項２５】
送信機の複数の仮想送信アンテナポートのうちの少なくとも１つから送信を受信することであって、前記送信が前記基準信号を備える、受信すること
をさらに備える、請求項１６に記載の装置。
【請求項２６】
複数の仮想送信アンテナポートのうちの少なくとも１つが、ロングタームエボリューション（ＬＴＥ）時分割複信（ＴＤＤ）通信において使用される仮想送信ポート２および３を備える、請求項２５に記載の装置。
【請求項２７】
前記第１のＣＩＲと前記第２のＣＩＲとを整合させることが、
そこにおいて、前記第２のＣＩＲを前記第１のＣＩＲと整合させるために、前記ＴＴＬタイミングオフセットに基づいて、バッファ中の第２のＣＩＲサンプルの少なくとも一部分を再シャッフルすること
を備える、請求項１６に記載の装置。
【請求項２８】
前記そこにおいて再シャッフルすることが、前記バッファの第１の部分に前に関連付けられた前記第２のＣＩＲサンプルの前記少なくとも一部分を前記バッファの第２の部分に関連付けることを含む、請求項２７に記載の装置。
【請求項２９】
前記制御チャネルが共有チャネル上で送信される、請求項１７に記載の装置。
【請求項３０】
前記ＴＴＬタイミングオフセットが、高速フーリエ変換（ＦＦＴ）ウィンドウをアンカーするために使用される、請求項１６に記載の装置。
【請求項３１】
時間的にスタッガされた受信した基準信号の第１のセットに基づいて第１のチャネルインパルス応答（ＣＩＲ）を判断することと、同じサブフレームタイムスロットからの受信した基準信号の第２のセットに基づいて第２のＣＩＲを判断することと、ここにおいて各基準信号が複数の仮想送信アンテナポートのうちの１つに関連する、および、時間トラッキングループ（ＴＴＬ）タイミングオフセットに少なくとも部分的に基づいて前記第１のＣＩＲと前記第２のＣＩＲとを整合させることとを行うように構成された少なくとも１つのプロセッサと、
前記少なくとも１つのプロセッサに結合されたメモリと
を備える、ワイヤレス通信のための装置。
【請求項３２】
前記少なくとも１つのプロセッサが、前記整合された第１および第２のＣＩＲに基づいて制御チャネルを復号することを試みるようにさらに構成された、請求項３１に記載の装置。
【請求項３３】
前記整合された第１および第２のＣＩＲに基づいて制御チャネルを復号することを試みるように構成された前記少なくとも１つのプロセッサが、復号誤り率を低減するための手段を含む、請求項３２に記載の装置。
【請求項３４】
命令を記憶したコンピュータ可読媒体を備える、ワイヤレス通信のためのコンピュータプログラム製品であって、前記命令が、
時間的にスタッガされた受信した基準信号の第１のセットに基づいて第１のチャネルインパルス応答（ＣＩＲ）を判断することと、
同じサブフレームタイムスロットからの受信した基準信号の第２のセットに基づいて第２のＣＩＲを判断することであって、各基準信号が複数の仮想送信アンテナポートのうちの１つに関連する、判断することと、
時間トラッキングループ（ＴＴＬ）タイミングオフセットに少なくとも部分的に基づいて前記第１のＣＩＲと前記第２のＣＩＲとを整合させることと
を行うために１つまたは複数のプロセッサによって実行可能である、コンピュータプログラム製品。
【請求項３５】
前記整合された第１および第２のＣＩＲに基づいて制御チャネルを復号することを試みることをさらに備える、請求項３４に記載のコンピュータプログラム製品。
【請求項３６】
前記整合された第１および第２のＣＩＲに基づいて制御チャネルを復号することを試みることが、復号誤り率を低減することを含む、請求項３５に記載のコンピュータプログラム製品。
【手続補正２】
【補正対象書類名】明細書
【補正対象項目名】００８２
【補正方法】変更
【補正の内容】
【００８２】
[0094]  以上の説明は、本明細書で説明した様々な態様を当業者が実施できるように与えたものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、出願当初の特許請求の範囲に記載された発明を付記する。
［Ｃ１］
時間的にスタッガされた受信した基準信号の第１のセットに基づいて第１のチャネルインパルス応答（ＣＩＲ）を判断することと、
同じサブフレームタイムスロットからの受信した基準信号の第２のセットに基づいて第２のＣＩＲを判断することであって、基準信号が複数の仮想送信アンテナポートのうちの１つに関連する、判断することと、
時間トラッキングループ（ＴＴＬ）タイミングオフセットに少なくとも部分的に基づいて前記第１のＣＩＲと前記第２のＣＩＲとを整合させることと
を備える、ワイヤレス通信のための方法。
［Ｃ２］
前記整合された第１および第２のＣＩＲに基づいて制御チャネルを復号することを試みることをさらに備える、Ｃ１に記載の方法。
［Ｃ３］
前記整合された第１および第２のＣＩＲに基づいて制御チャネルを復号することを試みることが、復号誤り率を低減することを含む、Ｃ２に記載の方法。
［Ｃ４］
時間トラッキングループ（ＴＴＬ）タイミングオフセットに少なくとも部分的に基づいて前記第１のＣＩＲと前記第２のＣＩＲとを整合させることが、時間的に前記第１のＣＩＲと前記第２のＣＩＲとを正規化することを含む、Ｃ１に記載の方法。
［Ｃ５］
時間トラッキングループ（ＴＴＬ）タイミングオフセットに少なくとも部分的に基づいて前記第１のＣＩＲと前記第２のＣＩＲとを整合させることが、前記第１のＣＩＲのサンプルサイズと前記第２のＣＩＲのサンプルサイズとの差を適応させることを含む、Ｃ１に記載の方法。
［Ｃ６］
ロングタームエボリューション（ＬＴＥ）時分割複信（ＴＤＤ）通信において使用される少なくとも１つのダウンリンク（ＤＬ）サブフレームについてのＣＩＲを更新するために前記第２のＣＩＲを使用すること
をさらに備える、Ｃ１に記載の方法。
［Ｃ７］
アップリンク（ＵＬ）サブフレームの後に続くＤＬサブフレームについてのＣＩＲを更新するために前記第２のＣＩＲを使用すること
をさらに備える、Ｃ６に記載の方法。
［Ｃ８］
アップリンク（ＵＬ）サブフレームの後に続くＤＬサブフレームについてのＣＩＲを更新するために前記第２のＣＩＲを使用することが、アップリンク（ＵＬ）サブフレームの直後のＤＬサブフレームについてのＣＩＲを更新するために前記第２のＣＩＲを使用することを含む、Ｃ７に記載の方法。
［Ｃ９］
ロングタームエボリューション（ＬＴＥ）周波数分割複信（ＦＤＤ）通信において使用される少なくとも１つのダウンリンク（ＤＬ）サブフレームについてのＣＩＲを更新するために前記第２のＣＩＲを使用することであって、前記基準信号が受信された前記ＤＬサブフレームは、基準信号が少なくとも部分的に消失した特別なサブフレームの後にある、使用すること
をさらに備える、Ｃ１に記載の方法。
［Ｃ１０］
送信機の複数の仮想送信アンテナポートのうちの少なくとも１つから送信を受信することであって、前記送信が前記基準信号を備える、受信すること
をさらに備える、Ｃ１に記載の方法。
［Ｃ１１］
複数の仮想送信アンテナポートのうちの少なくとも１つが、ロングタームエボリューション（ＬＴＥ）時分割複信（ＴＤＤ）通信において使用される仮想送信ポート２および３を備える、Ｃ１０に記載の方法。
［Ｃ１２］
前記第１のＣＩＲと前記第２のＣＩＲとを整合させることが、
前記第２のＣＩＲを前記第１のＣＩＲと整合させるために、前記ＴＴＬタイミングオフセットに基づいて、バッファ中の第２のＣＩＲサンプルの少なくとも一部分を再シャッフルすること
を備える、Ｃ１に記載の方法。
［Ｃ１３］
再シャッフルすることが、前記バッファの第１の部分に前に関連付けられた前記第２のＣＩＲサンプルの前記少なくとも一部分を前記バッファの第２の部分に関連付けることを含む、Ｃ１２に記載の方法。
［Ｃ１４］
前記制御チャネルが共有チャネル上で送信される、Ｃ２に記載の方法。
［Ｃ１５］
前記ＴＴＬタイミングオフセットが、高速フーリエ変換（ＦＦＴ）ウィンドウをアンカーするために使用される、Ｃ１に記載の方法。
［Ｃ１６］
時間的にスタッガされた受信した基準信号の第１のセットに基づいて第１のチャネルインパルス応答（ＣＩＲ）を判断するための手段と、
同じサブフレームタイムスロットからの受信した基準信号の第２のセットに基づいて第２のＣＩＲを判断するための手段であって、基準信号が複数の仮想送信アンテナポートのうちの１つに関連する、判断するための手段と、
時間トラッキングループ（ＴＴＬ）タイミングオフセットに少なくとも部分的に基づいて前記第１のＣＩＲと前記第２のＣＩＲとを整合させるための手段と
を備える、ワイヤレス通信のための装置。
［Ｃ１７］
前記整合された第１および第２のＣＩＲに基づいて制御チャネルを復号することを試みるための手段をさらに備える、Ｃ１６に記載の装置。
［Ｃ１８］
前記整合された第１および第２のＣＩＲに基づいて制御チャネルを復号することを試みるための前記手段が、復号誤り率を低減するための手段を含む、Ｃ１７に記載の装置。
［Ｃ１９］
時間トラッキングループ（ＴＴＬ）タイミングオフセットに少なくとも部分的に基づいて前記第１のＣＩＲと前記第２のＣＩＲとを整合させるための前記手段が、時間的に前記第１のＣＩＲと前記第２のＣＩＲとを正規化するための手段を含む、Ｃ１６に記載の装置。
［Ｃ２０］
時間トラッキングループ（ＴＴＬ）タイミングオフセットに少なくとも部分的に基づいて前記第１のＣＩＲと前記第２のＣＩＲとを整合させるための前記手段が、前記第１のＣＩＲのサンプルサイズと前記第２のＣＩＲのサンプルサイズとの差を適応させるための手段を含む、Ｃ１６に記載の装置。
［Ｃ２１］
ロングタームエボリューション（ＬＴＥ）時分割複信（ＴＤＤ）通信において使用される少なくとも１つのダウンリンク（ＤＬ）サブフレームについてのＣＩＲを更新するために前記第２のＣＩＲを使用するための手段
をさらに備える、Ｃ１６に記載の装置。
［Ｃ２２］
アップリンク（ＵＬ）サブフレームの後に続くＤＬサブフレームについてのＣＩＲを更新するために前記第２のＣＩＲを使用するための手段
をさらに備える、Ｃ２１に記載の装置。
［Ｃ２３］
アップリンク（ＵＬ）サブフレームの後に続くＤＬサブフレームについてのＣＩＲを更新するために前記第２のＣＩＲを使用するための前記手段が、ここにおいてアップリンク（ＵＬ）サブフレームの直後のＤＬサブフレームについてのＣＩＲを更新するために前記第２のＣＩＲを使用するための手段を含む、Ｃ２２に記載の装置。
［Ｃ２４］
ロングタームエボリューション（ＬＴＥ）周波数分割複信（ＦＤＤ）通信において使用される少なくとも１つのダウンリンク（ＤＬ）サブフレームについてのＣＩＲを更新するために前記第２のＣＩＲを使用することであって、前記基準信号が受信された前記ＤＬサブフレームは、基準信号が少なくとも部分的に消失した特別なサブフレームの後にある、使用すること
をさらに備える、Ｃ１６に記載の装置。
［Ｃ２５］
送信機の複数の仮想送信アンテナポートのうちの少なくとも１つから送信を受信することであって、前記送信が前記基準信号を備える、受信すること
をさらに備える、Ｃ１６に記載の装置。
［Ｃ２６］
複数の仮想送信アンテナポートのうちの少なくとも１つが、ロングタームエボリューション（ＬＴＥ）時分割複信（ＴＤＤ）通信において使用される仮想送信ポート２および３を備える、Ｃ２５に記載の装置。
［Ｃ２７］
前記第１のＣＩＲと前記第２のＣＩＲとを整合させることが、
そこにおいて、前記第２のＣＩＲを前記第１のＣＩＲと整合させるために、前記ＴＴＬタイミングオフセットに基づいて、バッファ中の第２のＣＩＲサンプルの少なくとも一部分を再シャッフルすること
を備える、Ｃ１６に記載の装置。
［Ｃ２８］
前記そこにおいて再シャッフルすることが、前記バッファの第１の部分に前に関連付けられた前記第２のＣＩＲサンプルの前記少なくとも一部分を前記バッファの第２の部分に関連付けることを含む、Ｃ２７に記載の装置。
［Ｃ２９］
前記制御チャネルが共有チャネル上で送信される、Ｃ１７に記載の装置。
［Ｃ３０］
前記ＴＴＬタイミングオフセットが、高速フーリエ変換（ＦＦＴ）ウィンドウをアンカーするために使用される、Ｃ１６に記載の装置。
［Ｃ３１］
時間的にスタッガされた受信した基準信号の第１のセットに基づいて第１のチャネルインパルス応答（ＣＩＲ）を判断することと、同じサブフレームタイムスロットからの受信した基準信号の第２のセットに基づいて第２のＣＩＲを判断することと、ここにおいて基準信号が複数の仮想送信アンテナポートのうちの１つに関連する、および、時間トラッキングループ（ＴＴＬ）タイミングオフセットに少なくとも部分的に基づいて前記第１のＣＩＲと前記第２のＣＩＲとを整合させることとを行うように構成された少なくとも１つのプロセッサと、
前記少なくとも１つのプロセッサに結合されたメモリと
を備える、ワイヤレス通信のための装置。
［Ｃ３２］
前記少なくとも１つのプロセッサが、前記整合された第１および第２のＣＩＲに基づいて制御チャネルを復号することを試みるようにさらに構成された、Ｃ３１に記載の装置。
［Ｃ３３］
前記整合された第１および第２のＣＩＲに基づいて制御チャネルを復号することを試みるように構成された前記少なくとも１つのプロセッサが、復号誤り率を低減するための手段を含む、Ｃ３２に記載の装置。
［Ｃ３４］
命令を記憶したコンピュータ可読媒体を備える、ワイヤレス通信のためのコンピュータプログラム製品であって、前記命令が、
時間的にスタッガされた受信した基準信号の第１のセットに基づいて第１のチャネルインパルス応答（ＣＩＲ）を判断することと、
同じサブフレームタイムスロットからの受信した基準信号の第２のセットに基づいて第２のＣＩＲを判断することであって、基準信号が複数の仮想送信アンテナポートのうちの１つに関連する、判断することと、
時間トラッキングループ（ＴＴＬ）タイミングオフセットに少なくとも部分的に基づいて前記第１のＣＩＲと前記第２のＣＩＲとを整合させることと
を行うために１つまたは複数のプロセッサによって実行可能である、コンピュータプログラム製品。
［Ｃ３５］
前記整合された第１および第２のＣＩＲに基づいて制御チャネルを復号することを試みることをさらに備える、Ｃ３４に記載のコンピュータプログラム製品。
［Ｃ３６］
前記整合された第１および第２のＣＩＲに基づいて制御チャネルを復号することを試みることが、復号誤り率を低減することを含む、Ｃ３５に記載のコンピュータプログラム製品。
【国際調査報告】
2015515775.tif 000019
2015515775.tif 000020
2015515775.tif 000021